(57)【要約】【課題】陰茎の大きさや位置変化に追随して、被覆層を変形させ密着感を維持して、効率的な精液採取作業をする。【解決手段】外ケース１内に内装具１０を収容して精液採取装置３０を構成する（ａ）（ｂ）。内装具１０は、多孔質である発泡ウレタン系材料からなる基本筒体２０の内面２１に、エラストマー系のゲル状樹脂材料からなる被覆層２５を形成して構成する（ａ）（ｂ）。使用者は、精液採取装置３０の内装具１０の開口部１４から、中空部１５に向けて陰茎を挿入すれば、大きさや動きなどに併せて、基本筒体２０が伸縮変形し、これに追随して被覆層２５が移動変形して、常にゲル状樹脂材料からなる被覆層２５、２５の表面２６が陰茎に当接する（ｃ）（ｄ）。【選択図】図１
2011183071.tif 000002
【特許請求の範囲】
【請求項１】
上方に向けて開口部を有する筒状の外ケース内に、上方に向けて挿入開口部を有する筒状の内装具を収容して、以下のように構成したことを特徴とする精液採取装置。
(1) 前記内装具の内面に凹凸面を形成した。
(2) 前記内装具の外側面は、前記外ケースの内面に略密着させて収容した。
(3) 前記内装具は、基本筒体の内面に、ゲル状樹脂材料を密着して被覆した被覆層を形成して構成した。
(4) 前記基本筒体は、軸方向変形及び内径変形可能である柔軟な多孔質な樹脂材料から形成する。
(5) 前記ゲル状樹脂材料は、前記基本筒体の軸方向の形状変形及び内径変形に伴う「前記基本筒体の内面の形状変化」に追随して、変形して被覆状態を維持する構造とした。
(6) 前記内装具の内面の凹凸面は、「前記基本筒体の内面」及び／又は、「被覆層の内面」に凹凸面を形成して構成する。
【請求項２】
以下のように構成した請求項１記載の精液採取装置。
(1) 上面に凹凸面を有する板状の基材の上面に、ゲル状樹脂材料を密着して被覆して被覆層を形成する。
(2) 前記基材を、前記凹凸面が内側になるように、丸めて筒状の内装具を構成した。
【請求項３】
以下のように構成した請求項１記載の精液採取装置。
(1)外ケースは、開口部を塞ぐ蓋を着脱自在に取り付けた。
(2)内装具は、非加圧状態で、その上端部が外ケースの開口部から上方に突出して配置した。
(3)前記内装具は、前記外ケースに蓋を取り付けた状態で、前記外ケース内に収容される。
【発明の詳細な説明】
【技術分野】
【０００１】
この発明は、男性の陰茎を挿入して精液を採取する精液採取装置に関する。
【背景技術】
【０００２】
精子採取装置では、陰茎を挿入する内装具について、陰茎の大きさなどに対応して密着性を高めるために様々な工夫が提案されている。
【０００３】
例えば、ケース内に、肉厚筒状スポンジ体（内装具）内に高柔軟樹脂製の円筒体（内装具）を装填した精液採取装置（特許文献１）、ケース内に挿入口を有し伸縮する弾辱体（内装具）を設けた精液処理具（特許文献２）、ケース内に人体感触のエラストマーのゲルからなる挿入体（内装具）を取り付けた精液採取装置（特許文献３）、ケース内に、コア本体とリブからなるゲル状の樹脂製コア部材（内装具）を備えた精子採取装置（特許文献４）が提案されている。
【先行技術文献】
【特許文献】
【０００４】
【特許文献１】実用登録第３０７６１８３号公報
【特許文献２】実用登録第３０８２４０８号公報
【特許文献１】特許３２７２６３１号公報
【特許文献１】国際公開ＷＯ２００６／１３２１２５公報
【発明の概要】
【発明が解決しようとする課題】
【０００５】
前記従来の技術の内、特許文献１では「肉厚筒状スポンジ体」と「高柔軟樹脂製の円筒体」との組合せの効果が無く夫々の良さを生かせない問題点がり、特許文献２では「弾辱体」の性質についての記載がないが、いずれの材料で構成してもその材料単独の機能しか発揮できない問題点があった。また、特許文献３ではエラストマーのゲルからなる挿入体の単独の機能しか無く、さらに特許文献４でもゲル状の樹脂製のコア部材単独の機能しかなく、更にリブがあるが反発性が無い問題点があった。
【課題を解決するための手段】
【０００６】
しかし、この発明は、内装具を、「軸方向及び内径変化可能である柔軟な多孔質な樹脂材料」から構成して、「内面を形状変化に追随して変形できるゲル状樹脂材料で被覆層を形成した」ので、前記問題点を解決した。
【０００７】
即ちこの発明は、上方に向けて開口部を有する筒状の外ケース内に、上方に向けて挿入開口部を有する筒状の内装具を収容して、以下のように構成したことを特徴とする精液採取装置である。  
(1) 前記内装具の内面に凹凸面を形成した。  
(2) 前記内装具の外側面は、前記外ケースの内面に略密着させて収容した。  
(3) 前記内装具は、基本筒体の内面に、ゲル状樹脂材料を密着して被覆した被覆層を形成して構成した。  
(4) 前記基本筒体は、軸方向変形及び内径変形可能である柔軟な多孔質な樹脂材料から形成する。  
(5) 前記ゲル状樹脂材料は、前記基本筒体の軸方向の形状変形及び内径変形に伴う「前記基本筒体の内面の形状変化」に追随して、変形して被覆状態を維持する構造とした。  
(6) 前記内装具の内面の凹凸面は、「前記基本筒体の内面」及び／又は、「被覆層の内面」に凹凸面を形成して構成する。
【０００８】
また、前記において、以下のように構成した精液採取装置である。  
(1) 上面に凹凸面を有する板状の基材の上面に、ゲル状樹脂材料を密着して被覆して被覆層を形成する。  
(2) 前記基材を、前記凹凸面が内側になるように、丸めて筒状の内装具を構成した。
【０００９】
さらに、前記において、以下のように構成した精液採取装置である。  
(1)外ケースは、開口部を塞ぐ蓋を着脱自在に取り付けた。  
(2)内装具は、非加圧状態で、その上端部が外ケースの開口部から上方に突出して配置した。  
(3)前記内装具は、前記外ケースに蓋を取り付けた状態で、前記外ケース内に収容される。
【００１０】
前記における外ケースの形状は、主に円筒であるが、筒状であれば、三角筒、四角筒、六角筒など角筒、あるいはハート形、花形など断面形状は任意である。また、軸方向で断面形状が変化する形状でも可能である。
【００１１】
なお、この場合、内装具の基本筒体の外面は、外ケースの内面に沿って変形して収容される。
【００１２】
また、前記における内装具の内面とは、内装具は筒状であり中空部を有するので、その中空部の内壁面を指す。
【００１３】
また、前記実施例において、内装具の内面への凹凸面の形成は、結果として被覆層の内面に凹凸面が形成されていれば良いので、以下のような構成を採用することができる。  
（ａ）前記基本筒体の内面に凹凸面を形成し、凹凸面に沿って略同一厚さの被覆層を形成して、被覆層の内面に凹凸面を形成する。  
（ｂ）前記基本筒体の内面に凹凸面を形成し、厚さの異なる被覆層を形成して、被覆層の内面に基本筒体の内面に凹凸面を形成する。  
（ｃ）前記基本筒体の内面を平坦面とし、厚さの異なる被覆層を形成して、被覆層の内面に基本筒体の内面に凹凸面を形成する。
【００１４】
また、内装具は、平板状の基材を丸めて、筒状に形成することが安価で好ましいが、最初から筒状に成形することも可能である。また、軸方向、軸に直角な方向あるいは軸に斜めな方向に、２つ又は３つ以上に切断して分割した形状で成形することもできる。
【発明の効果】
【００１５】
軸方向及び内径変化可能である柔軟な多孔質な樹脂材料からなる「基本筒体」を構成して、基本筒体の内面に、形状変化に追随して変形できるゲル状樹脂材料で「被覆層」を形成して内装具を構成したので、陰茎を基本筒体の内側の中空部の断面形状・大きさが幅広く変形でき、かつ中空部の断面形状・大きさの変化に追随して、被覆層が変形できる。また、陰茎が内装具に対して、軸方向、軸に直角な方向、あるいは軸に対して斜め方向に移動しても、この動きに追随して、陰茎に対する密着感を維持できる。従って、効率的な精液採取作業ができる。
【図面の簡単な説明】
【００１６】
【図１】図１はこの発明の実施態様で、（ａ）は使用前の概略した縦断面図で、（ｂ）は（ａ）のＡ−Ａ線における断面図で、（ｃ）は使用中の概略した縦断面図で、（ｄ）は（ｃ）のＢ−Ｂ線における断面図である。
【図２】図２はこの発明の他の実施態様で、（ａ）は使用前の概略した縦断面図で、（ｂ）は使用中の縦断面図である。
【図３】図３は、内装具の製造を表す図で、（ａ）は板状の平面図、（ｂ）は（ａ）のＣ−Ｃ断面図、（ｃ）は（ａ）のＤ−Ｄ断面図、（ｄ）は丸めて内装具を形成した状態の横断面図である。
【図４】図４はこの発明の実施例の縦断面図である。
【発明を実施するための形態】
【００１７】
１．第１の実施形態
【００１８】
（１）外ケース１の構造
底板３を有する円筒形の側板２で、かつ上方に向けて開口した形状で、円筒形の外ケース１を形成する（図１（ａ）（ｂ））。外ケース１は、防水材料から構成し、あるいは紙製などで形成して少なくとも内面（底板３の内面３ａ及び側板２の内面２ａ）に防水加工を施して構成する。防水加工は、防水フィルムで覆う、防水材料を表面に塗布する、防水材料を含浸させるなど任意である。
【００１９】
（２）内装具１０の構造
内装具１０は、基本筒体２０の内面２１及び上面２３に被覆層２５、２５を形成して構成する（図１（ａ）（ｂ））。内装具１０は上方に向けて開口して開口部１４を形成している。下方は開口、密閉のいずれでも可能である。  
基本筒体２０は、上方に向けて開口して、微細な気泡を内蔵する多孔質である発泡ウレタン系材料からなる。また、内面２１の全面に亘り多数の突起２４、２４を有する。  
被覆層２５は、エラストマー系のゲル状樹脂材料からなり、基本筒体２０の内面２１及び上面２４に沿ってほぼ均一の厚さで形成される。従って、基本筒体２０の内面２１の突起２４、２４に対応して、被覆層２５の表面２６（即ち内装具１０の内面１１）には突起２４、２４に対応した凹凸面が形成されている。
【００２０】
（３）精液採取装置３０
内装具１０を外ケース１内に収容して精液採取装置３０を構成する（図１（ａ）（ｂ））。内装具１０の開口部１４が挿入口を構成する。  
内装具１０の外面１２（基本筒体２０の外面２２）は、外ケース１の側板２の内面２ａにほぼ密着する（多少の隙間が生じる場合もある）。また、内装具１０の下面１３ａも外ケース１の下面（底板３の内面３ａ）に当接する。この状態で、内装具１０の上面１３から内面１１にかけて、被覆層２５、２５が形成されるので、内装具１０の上面１３から内面１１にかけて、ゲル状樹脂材料が露出している。
【００２１】
（４）精液採取装置３０の使用
使用者は、精液採取装置３０の内装具１０の開口部１４から、内装具１０の中空部１５に向けて陰茎を挿入すれば、大きさや動きなどに併せて、発泡ウレタン材料からなる基本筒体２０が伸縮変形し、かつ、基本筒体２０が伸縮変形に追随して被覆層２５が移動変形して、常にゲル状樹脂材料からなる被覆層２５、２５の表面２６が陰茎に当接する。従って、常に陰茎の密着性を維持できる（図１（ｃ）（ｄ））。この際、図１（ｃ）（ｄ）で変形前の内装具１０の内面１１（即ち被覆層２５の表面２６）の位置を鎖線１０Ｂで示す。  
例えば、内装具１０の軸方向４１に対して（図１（ｃ））、軸方向４１と同じ方向、軸方向４１に直角な方向、軸方向４１に斜めの方向など、陰茎のあらゆる動きに追随して内装具１０の中空部１５（基本筒体２０の内面２１）が移動しても、中空部１５（基本筒体２０の内面２１）の動きに追随して被覆層２５、２５が移動変形でき、被覆部２５、２５は常に陰茎に密着可能となる。  
そして、放出された精液は、外ケース１の内に収容できる。また、外ケース１の底部（底板３の内面３ａ）付近に収容された精液は、開口部１４から回収でき、この際に、外ケース１から内装具１０を取り出して回収作業を行うこともできる（図示していない）。
【００２２】
（５）内装具１０の形成方法
前記における内装具１０は、予め筒状に成型する場合の他、以下のように基材を板状に形成した後に筒状に変形させることもできる（図３）。  
発泡ウレタン材料からなり、板状で一面に、全面に亘り多数の突起２４、２４を施して凹凸面を形成して基本筒体基材２０Ａとする。基本筒体基材２０Ａの一面２１（凹凸面）の全体を覆うように、エラストマー系のゲル状樹脂材料を液体状態で流して、略同一厚さで被覆する。ゲル状樹脂材料は、基本筒体基材２０Ａの一面２１の多孔質の微細の形状に浸透して、基材２０の一面２１と一体に固化して、被覆層２５を形成する。被覆層２５は固化した状態で、ゲル状で極めて柔軟伸び、かつ表面にある程度の粘着性を有する。また、被覆層２５の表面２６には、基本筒体基材２０Ａの一面２１（凹凸面）に沿った凹凸面が形成される。基本筒体基材２０Ａの一面２１に被覆層２５を形成した状態で、内装具基材１０Ａとする。  
また、基本筒体基材２０Ａの一長縁部４３（丸めた際に上面２３になる）は、角を丸く形成して一面２１の被覆層２５に連続して、一長縁部４３の端面にも被覆層２５が連続して形成されている。  
以上のように形成した内装材基材１０Ａ（基本筒体基材２０Ａ）を、被覆層２５が内側になり、一長縁部４３が上を向くように、丸めて、円筒状に形成して内装具１０を構成する。一長縁部４３に隣接する短端面４４、４４は、互いに当接する。よって、前記のように、内装具１０の中空部１５の内面は全体に被覆層２５が形成される。この丸めた状態で、基本筒体基材２０Ａが基本筒体２０を構成する。
【００２３】
（６）他の実施形態
一長縁部４３に形成した被覆層２５、即ち内装具１０の上面１３の被覆層２５は省略することもできる（図示していない）。  
また、被覆層２５は、基本筒体２０の内面２１（中空部）の全体に形成したが、一部を省略することもできる（図示していない）。  
また、「内装具１０の外面１２又は下面１３ａ」と「外ケース１の側板２の内面２ａ又は底板３の内面３ａ」との間に、何らかの係止手段（嵌合する段差、接着など）を設けて、使用時に外ケース１から内装具１０が抜けないように、あるいは内装具１０の軸方向４１の移動を多少規制することもできる（図示していない）。  
また、内装具１０を外ケース１から着脱自在とすることもできる。
【００２４】
２．第２の実施態様
【００２５】
（１）  第２の実施態様は、第１の実施態様と同様にして、内装具１０を形成して（図３）、実施形態１と同様の外ケース１に収容する。この場合、この実施形態では、外ケース１の上縁５から、内装具１０の上端部が突出して、上端突出部１７を形成した精液採取装置３０となっている（図２（ａ））。
【００２６】
（２）  従って、内装具１０の開口部１４から中空部１５内に、陰茎を挿入した際に、第１の実施態様で説明した動きに加えて、内装具１０の基本筒体２０が、軸方向４１に大きく変形することもでき、この場合にも、当初位置１０Ｂに対して、内装具１０の中空部１５（基本筒体２０の内面２１）の移動変形に追随して、被覆層２５、２５が同様に追随でき、被覆状態を維持できる（図２（ｂ））。
【実施例１】
【００２７】
図４に基づいて、この発明の実施例を説明する。
【００２８】
（１）  円筒形の側板２に底板３を有し上方に開口したケース１内に、内装具１０を挿入収容して、この発明の精液採取装置３０を構成する（図４）。ケース１は、紙製で形成されている。
【００２９】
（２）  内装具１０は、発泡ウレタン系材料からなる短円柱状の内装円盤３２の上面３３に、発泡ウレタン系材料からなる円筒状の基本筒体２０を乗せ、更に、基本筒体２０の上面２３にエラストマー系のゲル状樹脂材料からなる筒状の挿入案内部３５を乗せてある。従って、内装具１０は、内装円盤３２、基本筒体２０、挿入案内部３５の３つの部材が一体に形成された構造となっている。  
基本筒体２０の内面２１と内装円盤３２の上面３３の中央部分で囲まれた部分が、内装具１０の中空部１５を構成し、基本筒体２０の内面２１と内装円盤３２の上面３３の中央部分とには、エラストマー系のゲル状樹脂材料で一体に被覆され、被覆層２５、２５を構成している。  
前記におけるエラストマー系のゲル状樹脂材料は、例えば、同種の一般的材料に比して、柔軟で優れたゴム弾性と引っ張り強度を強化した材料とすることが好ましい。  
基本筒体２０の上面２３は、外ケース１の側板上縁５より下方に位置し、挿入案内部の上縁は外ケースより上方に突出している。  
基本筒体２０の内面２１には全面に亘り突起２４、２４が形成された凹凸面として、凹凸面に沿って被覆層２５が形成されているので、内装具１０の内面１１は被覆層２５からなる凹凸面となっている。
【００３０】
（３）  外ケース１に挿入案内部３５も覆うことができるような蓋８を設けることもできる（図４鎖線図示８）。  
前記図１、図２の実施態様と同様に、使用者は、精液採取装置３０の内装具１０の開口部１４（挿入案内部３５から、中空部１５に向けて陰茎を挿入すれば、大きさや動きなどに併せて、発泡ウレタン材料からなる基本筒体２０が伸縮変形し、かつ、基本筒体２０が伸縮変形に追随して被覆層２５が移動変形して、常にゲル状樹脂材料からなる被覆層２５、２５の表面２６が陰茎に当接する。従って、常に陰茎の密着性を維持できる。  
そして、放出された精液は、中空部１５内で、内装円盤３２の上面３３付近の被覆層２５付近に溜まるので、開口部１４から回収できる。
【符号の説明】
【００３１】
１    外ケース
２    外ケースの側板
２ａ  側板の内面
２ｂ  側板の外面
３    外ケースの底板
３ａ  底板の内面
４    外ケースの開口
５    外ケースの側板の上縁
８    外ケースの蓋
１０  内装具
１０Ａ  内装具基材
１０Ｂ  変化前の内装具
１１  内装具の内面
１２  内装具の外面
１３  内装具の上面
１３ａ  内装具の下面
１５  内装具の中空部
１７  内装具の上方突出部
２０  基本筒体（内装具）
２０Ａ  基本筒体基材
２１  基本筒体の内面
２２  基本筒体の外面
２３  基本筒体の上面
２４  基本筒体の突起
２５  被覆層（内装具）
２６  被覆層の表面
３０  精液採取装置
３２  内装円盤
３３  内装円盤の上面
３５  挿入導入部
４１  基本筒体の軸方向
４３  基材の一長縁部
４４  基材の短端面
【図１】
2011183071.tif 000003
【図２】
2011183071.tif 000004
【図３】
2011183071.tif 000005
【図４】
2011183071.tif 000006